(57)【要約】      （修正有）【課題】拘束体を連結孔に押し込むだけで装着可能とする使い勝手を向上させた錠装置の提供。【解決手段】屈曲自在な拘束体１の両端に形成された被係止部２が挿入される一対の連結孔３を備えたケース４と、連結孔に進退し、連結孔内に挿入された被係止部係脱する一対のロック片５と、所定の解錠キーによってのみ回転操作可能にケース内に収容され、解錠位置への回転操作によりロック片を係止解除位置に駆動するプラグ７とを有し、ロック片は、係止解除位置側への移動が許容され、プラグの解錠回転位置側への回転操作により適宜の付勢手段８による付与された係止位置側への付勢力に抗して係止解除位置側に駆動されて連結孔の長手方向に直交する方向から回転移動して連結孔内に進退するとともに、ロック片の係止位置における連結孔への突出部には、被係止部の連結孔への挿入操作力から係止解除方向への操作分力を得るガイド斜面が設けられる。【選択図】図２
2013159993.tif 000002
【特許請求の範囲】
【請求項１】
屈曲自在な拘束体の両端に形成された被係止部が挿入される一対の連結孔を備えたケースと、
連結孔に進退し、連結孔内に挿入された前記被係止部に係脱する一対のロック片と、
所定の解錠キーによってのみ回転操作可能にケース内に収容され、解錠位置への回転操作により前記ロック片を係止解除位置に駆動するプラグとを有し、
前記ロック片は、係止解除位置側への移動が許容され、プラグの解錠回転位置側への回転操作により適宜の付勢手段による付与された係止位置側への付勢力に抗して係止解除位置側に駆動されて連結孔の長手方向に直交する方向から回転移動して連結孔内に進退するとともに、
ロック片の係止位置における連結孔への突出部には、被係止部の連結孔への挿入操作力から係止解除方向への操作分力を得るガイド斜面が設けられる錠装置。
【請求項２】
前記プラグにはロック片に設けられたフォロワー突部が離接自在に当接し、プラグの解錠方向への回転に伴ってロック片を係止解除方向に変位させるカム面が各ロック片に対応して一対設けられる請求項１記載の錠装置。
【請求項３】
前記プラグはロック片の係止位置に対応する施錠回転位置を挟んで時計、反時計回りに回転操作自在であり、
プラグの回転方向に動作対象のロック片を対応させた請求項２記載の錠装置。
【請求項４】
前記プラグは解錠回転位置においてロック片を係脱位置の中間位置まで駆動するとともに、
ロック片の解錠回転位置における連結孔への突出部には、被係止部への抜去操作力から係止解除方向への操作分力を得るストッパ斜面が設けられる請求項１、２または３記載の錠装置。
【請求項５】
屈曲自在な拘束体の両端に形成された被係止部が挿入される一対の連結孔を備えたケースと、
ケース内で係止位置、および係止解除位置間を移動して連結孔内に挿入された前記被係止部に係脱する一対のロック片と、
所定の解錠キーによってのみ施錠回転位置を挟んで時計、反時計回りに回転操作可能にケース内に収容されるプラグとを有し、
前記プラグには、ロック片に設けられたフォロワー突部が離接自在に当接してプラグの解錠方向への回転に伴ってロック片を係止解除方向に変位させるカム面を片面に備えた押圧プレートが設けられるとともに、
各ロック片のフォロワー突部は、プラグの回転中心を通る平面で区画される作動面上の各領域に各々位置するように並んで配置され、
各ロック片には前記フォロワー突部をカム面に圧接させてロック片を係止位置側に付勢する付勢力が付与される錠装置。
【発明の詳細な説明】
【技術分野】
【０００１】
本発明は、錠装置に関するものである。
【背景技術】
【０００２】
２個の連結孔にケーブル（拘束体）の両端を各々独立に連結可能とした錠装置としては、特許文献１の図３に記載のものが知られている。この従来例において、プラグにはプラグの回転中心に対して非対称形状の凹部を有するカムが形成されており、該カムと連結孔との間に端子固定ロッドが介装される。
【０００３】
プラグを所定回転位置まで回転させると、カムの凹部が端子固定ロッドの端部に位置し、端子固定ロッドの連結孔からの待避スペースが確保され、連結されていた拘束体を抜去できる。
【先行技術文献】
【特許文献】
【０００４】
【特許文献１】特開２００６-６３７７６号公報
【発明の概要】
【発明が解決しようとする課題】
【０００５】
しかし、上述した従来例において、拘束体を装着する際には、一旦プラグを回転させて端子固定ロッドが連結孔から待避するためのスペースを確保する必要があるために、使い勝手が非常に悪いという欠点がある。
【０００６】
本発明は、以上の欠点を解消すべくなされたものであって、拘束体を連結孔に押し込むだけで装着可能とすることにより使い勝手を向上させた錠装置の提供を目的とする。
【課題を解決するための手段】
【０００７】
本発明によれば上記目的は、
屈曲自在な拘束体１の両端に形成された被係止部２が挿入される一対の連結孔３を備えたケース４と、
連結孔３に進退し、連結孔３内に挿入された前記被係止部２に係脱する一対のロック片５と、
所定の解錠キー６によってのみ回転操作可能にケース４内に収容され、解錠位置への回転操作により前記ロック片５を係止解除位置に駆動するプラグ７とを有し、
前記ロック片５は、係止解除位置側への移動が許容され、プラグ７の解錠回転位置側への回転操作により適宜の付勢手段８による付与された係止位置側への付勢力に抗して係止解除位置側に駆動されて連結孔３の長手方向に直交する方向から回転移動して連結孔３内に進退するとともに、
ロック片５の係止位置における連結孔３への突出部には、被係止部２の連結孔３への挿入操作力から係止解除方向への操作分力を得るガイド斜面９が設けられる錠装置を提供することにより達成される。
【０００８】
ケース４には拘束体１の両端に対応して一対の連結孔３が開設されており、各連結孔３に対応して一対のロック片５が配置される。各ロック片５は係止位置と係止解除位置との間を回転移動自在で、係止位置において、対応する連結孔３に挿入される拘束体１の被係止部２に係止して拘束体１の離脱を規制する。
【０００９】
ロック片５には適宜の付勢力により係止位置側に付勢されており、さらに、プラグ７への回転操作力は、プラグ７を施錠回転位置から回転させた場合にのみロック片５に係止解除方向の操作力が伝達され、ロック片５側に係止解除方向への操作力を負荷した場合、プラグ７はロック片５の係止解除方向への移動を規制しない。
【００１０】
このようなプラグ７のロック片５への操作力伝達が係止解除方向の操作に対してのみ可能で、ロック片５側からの係止解除動作を妨げない一方向の伝達機構は、後述するように、プラグ７にカム面１１を形成したり、あるいはプラグ７とロック片５との間に適宜の操作力伝達機構を配置することにより実現できる。
【００１１】
ロック片５にガイド斜面９が設定される本発明において、ロック片５が係止位置にある状態で拘束体１の被係止部２を連結孔３に挿入すると、ロック片５にはガイド斜面９から係止解除方向の分力が付与されて一旦係止解除位置に移動した後、付勢力により係止位置に復帰し、以後、被係止部２に抜去方向の力を加えても、連結孔３に対して楔状に入り込んだロック片５に対して係止解除方向の分力を発生させることができないために、連結状態が保持される。
【００１２】
この結果、プラグ７を操作することなく施錠状態で被係止部２を連結孔３に押し込むだけで拘束体１を連結することができるために、操作性が向上する。また、ロック片５を回転体として構成することにより、ロック片５を並進移動させる場合に比して、移動路等を設定する必要がなくなるために，構造が簡単になる。
【００１３】
さらに、ロック片５を連結孔３の長手方向に対して直交方向に回転させることにより、上述したように、被係止部２を係止した状態で被係止部２に抜去荷重を負荷しても、ロック片５には曲げ、あるいは剪断力が発生するだけで係止解除方向の回転操作力が発生することはない。この結果、ロック片５が連結孔３の長手方向に沿って回転して連結孔３に進退する場合には必要となる係止解除方向の力に対する抵抗要素を設定する必要がなくなり、構造が簡単になる。
【００１４】
また、錠装置は、
前記プラグ７にはロック片５に設けられたフォロワー突部１０が離接自在に当接し、プラグ７の解錠方向への回転に伴ってロック片５を係止解除方向に変位させるカム面１１が各ロック片５に対応して一対設けて構成することができる。
【００１５】
本発明において、カム面１１とフォロワー突部１０とは、離接自在で、プラグ７を解錠方向に回転させたときにカム面１１がフォロワー突部１０に当接する関係で配置されるとともに、ロック片５にはフォロワー突部１０がカム面１１に圧接する方向の付勢力が付与される。
【００１６】
ロック片５が係止位置ある状態で拘束体１の被係止部２を連結孔３に挿入すると、ロック片５には傾斜面から係止解除方向の分力が付与されて一旦係止解除位置に移動した後、付勢力により係止位置に復帰し、以後、被係止部２の連結孔３からの離脱が規制される。
【００１７】
カム面１１を介してロック片５を直接プラグ７により操作する本発明において、プラグ７とロック片５との間に特別な介在機構を要しないために、構造が簡単になる。
【００１８】
さらに、錠装置は、
前記プラグ７はロック片５の係止位置に対応する施錠回転位置を挟んで時計、反時計回りに回転操作自在であり、
プラグ７の回転方向に動作対象のロック片５を対応させて構成することができる。
【００１９】
また、
前記プラグ７は解錠回転位置においてロック片５を係脱位置の中間位置まで駆動するとともに、
ロック片５の解錠回転位置における連結孔３への突出部には、被係止部２への抜去操作力から係止解除方向への操作分力を得るストッパ斜面１２が設けられる錠装置を構成すると、プラグ７を解錠方向に回転させた後、さらに拘束体１に抜去方向の引張力を負荷しなければ拘束体１を抜去できなくなる。この結果、プラグ７を回転操作しただけで不用意に拘束体１がケース４から離脱することを防止することができる。
【発明の効果】
【００２０】
本発明によれば、拘束体を連結孔に押し込むだけで装着することができるために、使い勝手が向上する。
【図面の簡単な説明】
【００２１】
【図１】拘束体を示す図で、（ａ）は錠装置により拘束体をループ状に連結した状態を示す平面図、（ｂ）は拘束体を折り畳んだ状態を示す平面図、（ｃ）は（ｂ）の正面図である。
【図２】錠装置を示す図で、（ａ）は断面図、（ｂ）は（ａ）の２Ｂ方向矢視図である。
【図３】ロック片の動作を示す図で、（ａ）は係止状態における図２（ａ）の３Ａ-３Ａ線断面図、（ｂ）は円柱部を挿入した状態を示す図、（ｃ）は図３（ａ）の３Ｃ-３Ｃ線断面図、（ｄ）は（ｂ）からさらに円柱部を挿入した状態を示す図、（ｅ）は図３（ｃ）の３Ｅ-３Ｅ線断面図、（ｆ）は（ｄ）の状態における（ｅ）に対応する断面図である。
【図４】解錠回転位置にプラグを操作した状態を示す図で、（ａ）は断面図、（ｂ）は（ａ）の４Ｂ-４Ｂ線断面図である。
【図５】暫定停止位置を示す図で、（ａ）は図４（ａ）の５Ａ-５Ａ線断面図、（ｂ）は図５（ａ）の５Ｂ-５Ｂ線断面図である。
【図６】プラグを反時計回りに回転させた状態を示す図で、（ａ）は図４（ｂ）に対応する図、（ｂ）は図５（ａ）に対応する図である。
【発明を実施するための形態】
【００２２】
図１に示すように、錠装置は、屈曲自在な拘束体１の両端を連結して該拘束体１を閉ループ状態とすることにより施錠対象を拘束する所謂ワイヤ錠として使用される。本例における拘束体１は、焼入鋼等により形成された芯材の表面を合成樹脂材により被覆して形成したアーム１ａを水平回転自在に連結して形成され、図１（ｂ）、（ｃ）に示すように、不使用時には折り畳んで保管することができる。
【００２３】
また、上記拘束体１の両端に配置されるアーム１ａの先端には円柱部１ｂが形成され、該円柱部１ｂに直交して凹溝を切り込むことによって被係止部２が形成される。
【００２４】
図２に示すように、錠装置は、上記拘束体１の被係止部２が挿入される連結孔３を備えたほぼ直方体形状をなすケース４と、ケース４内に収容されるプラグ７、およびロック片５とを有する。
【００２５】
プラグ７は軸長方向をケース４の長手方向に一致させてケース４の中心部に配置され、ケース４の一端面に露出するキー差し込み口７ａから挿入される真正な解錠キー６によってのみ施錠回転位置から解錠回転位置まで回転操作することができる。本例において、プラグ７の解錠回転位置は、施錠回転位置から時計、反時計両方向に４５°回転させた位置に各々設定される。
【００２６】
連結孔３は、上記拘束体１の円柱部１ｂが挿入可能で、軸長方向がプラグ７の回転中心に直交する円形断面孔として形成され、プラグ７の回転中心に対して対称位置に一対形成される。
【００２７】
図２、３に示すように、ロック片５は、連結孔３の軸長方向に沿って配置される枢軸１４周りに揺動自在なレバー状部材であり、揺動動作に伴って上記連結孔３に直交方向から進退する。図３（ｃ）に示すように、このロック片５には、圧縮スプリング（付勢手段８）により連結孔３への突出方向の付勢力が付与される。また、このロック片５の連結孔３への進退部５ａは、連結孔３の軸長方向に直交する鉛直面からなる係止用側壁面５ｂと、係止用側壁面５ｂと反対側壁面の上端部を面取状に切り落として形成されるガイド斜面９とを有し、係止用側壁面５ｂを対峙させた状態で各連結孔３に対応して配置される。
【００２８】
後述するように、ロック片５はカム面１１により図３（ａ）に示ように上記連結孔３内に突出して上記拘束体１の被係止部２に係止する係止位置と、図５（ｂ）において右側に示すように、上端がやや連結孔３内に突出する暫定停止位置（係止位置と、完全に係止状態が解除される係止解除位置との中間位置）との間で駆動され、上記ガイド斜面９は、図３（ｂ）に示すように、係止位置において円柱部１ｂの先端に形成したテーパ面１ｃに面接触するように形成される。
【００２９】
なお、本例においてはガイド斜面９の形成領域を小さくするために、円柱部１ｂの先端にテーパ面１ｃを形成する場合が示されているが、ガイド斜面９を進退部５ａのほぼ全域に形成し、円柱部１ｂのテーパ面１ｃを省くことも可能である。
【００３０】
また、係止用側壁面５ｂの上端には暫定停止位置における連結孔３内への突出部を面取状に斜めに切り落とした形状のストッパ斜面１２が設けられる。
【００３１】
さらに、ロック片５の枢軸１４を挟んで進退部５ａと反対側の端部は、図２に示すように、中心方向に向かい、上述した圧縮スプリング８による付勢力により後述するカム面１１に圧接されるフォロワー突部１０が形成される。
【００３２】
上記ロック片５を圧縮スプリング８の付勢力に抗して所定位置に移動させるために、カム面１１が形成される。図２に示すように、本例においては、カム面１１は、プラグ７の後端に連結されるカム部材１５に形成されるが、プラグ７に一体に形成することもできる。
【００３３】
上記カム面１１は、図３（ｅ）に示すように、プラグ７の回転中心に図心が一致する板状の押圧プレート１３の一面に形成され、各ロック片５のフォロワー突部１０は、プラグ７の回転中心に対して線対称位置を占めるように、カム面１１上に並んで配置される。
【００３４】
したがってこの実施の形態において、プラグ７が施錠回転位置、すなわち、解錠キー６が抜去された状態においては、押圧プレート１３は図３（ｅ）に示すように、連結孔３に平行な水平姿勢に保持され、双方のロック片５のフォロワー突部１０は圧縮スプリング８によりカム面１１に押し付けられる。カム面１１は水平姿勢においてロック片５が係止位置まで突出する高さに設定されており、この状態で図３（ｂ）の右側に示すように、拘束体１の円柱部１ｂを連結孔３に押し込むと、まず、円柱部１ｂのテーパ面１ｃがガイド斜面９に当接し、さらに押し込み操作を続けると、ガイド斜面９にはロック片５を下方に押し付ける分力が発生する。
【００３５】
一方、カム面１１は、ロック片５を係止位置側に移動させる力のみを付与し、反対方向への移動は何等規制されないために、図３（ｄ）、（ｆ）に示すように、ロック片５は上記分力により係止解除方向に移動して円柱部１ｂをかわした後、被係止部２に合致すると、圧縮スプリング８の反力により被係止部２に係止し、図３（ａ）に示す係止状態となる。
【００３６】
係止状態において、円柱部１ｂに抜去操作力を作用させても、係止用側壁面５ｂと被係止部２の壁面とは引き抜き方向に対して直交する面で接触しているために、ロック片５には係止解除方向への分力は発生せず、係止状態が維持される。
【００３７】
以上の施錠回転位置から、図４に示すように、プラグ７を時計回りに解錠回転位置まで回転操作すると、右側のロック片５のフォロワー突部１０がカム面１１により押されて該ロック片５が枢軸周りに回転する。ロック片５の回転により、該ロック片５のカム面１１の側縁はプラグ７の回転ストローク終端において進退部５ａが暫定停止位置となる寸法に設定されており、図５に示すように、右側のロック片５のみが暫定停止位置に移動し、左側のロック片５は依然係止位置に留まって円柱体の抜去が規制される。
【００３８】
暫定停止位置において、ロック片５の被係止部２への係止状態は維持されているために、拘束体１の自重等によって円柱部１ｂが直ちに抜去されることはない。また、暫定停止位置において被係止部２はストッパ斜面１２に対峙しているため、この状態から円柱部１ｂに所定の抜去操作力を付与すると、ストッパ斜面１２には図５（ａ）において上方への分力、すなわち、ロック片５を係止解除方向に回転させる分力が発生し、図３（ｄ）に示すように、抜去操作が可能になる。
【００３９】
以上において、プラグ７を施錠回転位置から時計回り，すなわち右方向に回転させて回転方向に一致する右側のロック片５を暫定停止位置に駆動する場合を示したが、プラグ７を反時計回り、すなわち左方向に回転させた場合には、図６に示すように、回転方向に一致する左側のロック片５のみが暫定停止位置に移動し、右側のロック片５は係止位置に留まる。
【符号の説明】
【００４０】
１        拘束体
２        被係止部
３        連結孔
４        ケース
５        ロック片
６        解錠キー
７        プラグ
８        付勢手段
９        ガイド斜面
１０      フォロワー突部
１１      カム面
１２      ストッパ斜面
１３      押圧プレート
【図１】
2013159993.tif 000003
【図２】
2013159993.tif 000004
【図３】
2013159993.tif 000005
【図４】
2013159993.tif 000006
【図５】
2013159993.tif 000007
【図６】
2013159993.tif 000008